(57)【要約】【課題】安価な資材を用いた簡易な構造で蛇の立設体への登攀を防止でき、作業員の立設体への昇降や荷物の上げ下げに支障が少なく、風の影響を殆ど受けない蛇登攀防止装置を提供する。【解決手段】蛇登攀防止装置１は、架空送電線３によって誘起される電圧を利用して蛇に電撃を与えるもので、例えば、電磁誘導型にあっては、鉄塔２の架空送電線付近において、ビニル絶縁電線を主柱材の周囲にループ状に巻設し、そのビニル絶縁電線の両端を鉄塔２の下部まで引き下ろし、引き下ろされたビニル絶縁電線の一方を鉄塔２の下部に固定された絶縁体６ａの一方の端部に設けられる第１の電極１１ａに接続し、また、引き下ろされたビニル絶縁電線の他方を絶縁体の他方の端部に設けられる第２の電極１２ａに接続する。第１の電極１１ａと第２の電極１２ａとの間に電圧が誘起されるので、絶縁体６ａを通過する蛇は、これらの電極に同時に接触すると電撃を受け、落下するか登攀を断念する。【選択図】  図１
2016119810.tif 000002
【特許請求の範囲】
【請求項１】
架空送電線を支持する立設体に設けられる蛇昇塔防止装置であって、
前記立設体の前記架空送電線付近において、ビニル絶縁電線を前記立設体の周囲にループ状に巻設し、そのビニル絶縁電線の両端を前記立設体の下部まで引き下ろし、引き下ろされた前記ビニル絶縁電線の一方を前記立設体の下部に固定された絶縁体の一方の端部に設けられる第１の電極に電気的に接続し、また、引き下ろされた前記ビニル絶縁電線の他方を前記絶縁体の他方の端部に設けられる第２の電極に電気的に接続することを特徴とする蛇昇塔防止装置。
【請求項２】
架空送電線を支持する立設体に設けられる蛇昇塔防止装置であって、
前記立設体の前記架空送電線付近において、ビニル絶縁電線を前記立設体の周囲にループ状に巻設し、そのビニル絶縁電線に接続されたビニル絶縁電線を前記立設体の下部まで引き下ろし、引き下ろされた前記ビニル絶縁電線を前記立設体の下部に固定された絶縁体の一方の端部に設けられる第１の電極に電気的に接続し、また、接地線を前記絶縁体の他方の端部に設けられる第２の電極に電気的に接続することを特徴とする蛇昇塔防止装置。  
【請求項３】
前記引き下ろされたビニル絶縁電線を前記絶縁体より下方まで引き回し、その前記絶縁体より下方となる部分の途中に断路スイッチを設けたことを特徴とする請求項１又は２記載の蛇昇塔防止装置。
【請求項４】
前記立設体は、鉄塔であり、前記絶縁体は、前記鉄塔の各主柱材の下部に設けられ、それぞれの絶縁体の前記第１の電極は直列に接続され、また、前記第２の電極は直列に接続されていることを特徴とする請求項１乃至３のいずれかに記載の蛇昇塔防止装置。
【請求項５】
前記絶縁体は、絶縁シートにより構成されることを特徴とする請求項１乃至４のいずれかに記載の蛇昇塔防止装置。
【請求項６】
前記絶縁体は、絶縁形成物を組み合わせて前記立設体の下部に装着することで構成されることを特徴とする請求項１乃至４のいずれかに記載の蛇昇塔防止装置。
【発明の詳細な説明】
【技術分野】
【０００１】
本発明は、送電鉄塔等の架空送電線を支持する立設体に蛇が登攀することを防止する蛇登攀防止装置に関する。
【背景技術】
【０００２】
蛇が鉄塔等の立設体の上部にある巣中の卵や雛等を狙って立設体をよじ登り、その際に送電線や配電線に接触すると、地絡事故が発生して電力設備や電力供給先などに膨大な損害を与える恐れがある。このため、蛇の登攀を防止する有効な装置の開発が要望されており、従来においては、様々な蛇登攀防止装置が検討されている。
【０００３】
例えば、表面に凹凸がないシート状の被覆部材を鉄塔の柱材に巻きつけ、この被覆部材と柱材との間に形成される隙間の開口部を蓋部材で閉塞したものや（特許文献１）、鉄塔の脚部に複数本のローラを備えた鉄塔防蛇器具を装着して蛇の昇塔を防止するもの（特許文献２）、金網で形成された蛇の昇塔防止パネルを鉄塔への人の昇塔を防止する昇塔防止装置に取り付けて蛇の昇塔を阻止するようにしたもの（特許文献３）、小動物などを検知する検知手段を備え、小動物などが検知された場合に電撃を与えて落下させるようにするもの（特許文献４）、円錐形状の傘部を備えた登り防止具を立設体に取り付けたもの（特許文献５）、蛇等が忌避する薬品を設置するもの（特許文献６）などが提案されている。
【先行技術文献】
【特許文献】
【０００４】
【特許文献１】特開２０１１−２５０７５５号公報
【特許文献２】特開２００８−１４８６３４号公報
【特許文献３】特開２００５−３０７４３４号公報
【特許文献４】特開平０１−１３２３２９号公報
【特許文献５】実開平０１−０４１２８２号公報
【特許文献６】実公平０１−００８１４０号公報
【発明の概要】
【発明が解決しようとする課題】
【０００５】
しかしながら、特許文献１及び２に示される構成は、経年劣化により蛇が滑る機能が失われて、登攀されることが懸念される。また、特許文献３及び５は、大型の蛇に対応するためには、形状を大型化する必要があり、大型化すると風の影響を受けやすくなり、また、強度を保つ構造や材質の検討を余儀なくされ、コストがかかる不都合がある。しかも、作業員の昇降時や荷物の上げ下げ時に支障となる不都合が懸念される。
【０００６】
さらに、特許文献４に示される構成は、電撃発生装置やこれを駆動する電源装置が必要となり、コストがかかると共に構造が複雑化し、定期的なメンテナンスが必要になる不都合がある。
また、特許文献５に示される構成は、定期的な忌避材の補給が必要となり、多数の鉄塔に対応する場合には忌避材に要する費用も多くなり、また、忌避剤の補給のし忘れが生じることが懸念される。
【０００７】
本発明は、係る事情に鑑みてなされたものであり、安価な資材を用いた簡易な構造で蛇の立設体への登攀を防止でき、また、作業員の立設体への昇降や荷物の上げ下げに支障が少なく、風の影響を殆ど受けない耐久性のある蛇登攀防止装置を提供することを主たる課題としている。
【課題を解決するための手段】
【０００８】
上記課題を達成するために、本発明に係る蛇登攀防止装置は、架空送電線を支持する立設体に設けられる蛇昇塔防止装置であって、前記立設体の前記架空送電線付近において、ビニル絶縁電線を前記立設体の周囲にループ状に巻設し、そのビニル絶縁電線の両端を前記立設体の下部まで引き下ろし、引き下ろされた前記ビニル絶縁電線の一方を前記立設体の下部に固定された絶縁体の一方の端部に設けられる第１の電極に電気的に接続し、また、引き下ろされた前記ビニル絶縁電線の他方を前記絶縁体の他方の端部に設けられる第２の電極に電気的に接続することを特徴としている（電磁誘導型）。
【０００９】
したがって、立設体の架空送電線付近において巻設されたビニル絶縁電線の部分で架空送電線の発生する磁界により電圧が誘起され、この誘起電圧が絶縁体の第１の電極と第２の電極との間に発生することになる。このため、蛇が登攀して絶縁体上の第１の電極と第２の電極とに同時に触れると、蛇はこれら電極に触れた瞬間に電撃を受けることになり、電撃を受けた蛇は落下するか登攀を断念することになる。
【００１０】
また、本発明に係る蛇登攀防止装置は、前記立設体の前記架空送電線付近において、ビニル絶縁電線を前記立設体の周囲にループ状に巻設し、そのビニル絶縁電線に接続されたビニル絶縁電線を前記立設体の下部まで引き下ろし、引き下ろされた前記ビニル絶縁電線を前記立設体の下部に固定された絶縁体の一方の端部に設けられる第１の電極に電気的に接続し、また、接地線を前記絶縁体の他方の端部に設けられる第２の電極に電気的に接続するようにしてもよい（静電誘導型）。
【００１１】
このような構成によれば、ビニル絶縁電線を立設体の周囲にループ状に巻設した部分と架空送電線との間の静電容量、前記ループ状に巻設した部分と大地間との間の静電容量のために第１の電極と第２の電極との間に電位差が発生することになる。このため、蛇が登攀して第１の電極と第２の電極に同時に触れると、蛇はこれら電極に触れた瞬間に電撃を受けることになり、電撃を受けた蛇は落下するか登攀を断念することになる。
【００１２】
ここで、引き下ろされたビニル絶縁電線は、前記絶縁体より下方まで引き回し、このビニル絶縁電線の前記絶縁体より下方となる部分の途中に断路スイッチを設けるようにするとよい。
【００１３】
このような構成を採用すれば、作業員が立設体を上り下りする作業時において断路スイッチをオフにすることで第１の電極と第２の電極との間に発生する誘起電圧を無くすことができ、感電する恐れを無くすことが可能となる。
【００１４】
また、上述した構成は、立設体が鉄塔である場合には、絶縁体を鉄塔の各主柱材の下部に設け、それぞれの絶縁体の第１の電極を直列に接続し、また、第２の電極を直列に接続して、各主柱材の第１の電極と第２の電極との間に誘起電圧を発生させるようにしてもよい。
【００１５】
電磁誘導型であれば、引き下ろされたビニル絶縁電線の一方に対して各絶縁体の第１の電極を直列に接続し、引き下ろされたビニル絶縁電線の他方に対して各絶縁体の第２の電極を直列に接続するとよい。また、静電誘導型であれば、引き下ろされたビニル絶縁電線に対して各絶縁体の第１の電極を直列に接続し、接地線に対して各絶縁体の第２の電極を直列に接続するとよい。
【００１６】
なお、上述した絶縁体は、絶縁シートにより構成されるものであっても、絶縁形成物を組み合わせて立設体の下部に装着することで構成されるものであってもよい。前者の構成によれば、格別な部材を用意する必要がなくなり、身近なもので本装置を構築することが可能となる。また、後者の構成によれば、立設体の下部に絶縁形成物を組み合わせて装着することで絶縁体が構成されるので、絶縁体の取り付け作業が容易となる。
【発明の効果】
【００１７】
以上述べたように、本発明に係る蛇登攀防止装置によれば、立設体の架空送電線の近くにビニル絶縁電線をループ状に巻設して電圧誘起箇所を形成し、この電圧誘起箇所を立設体の下部に設けられた絶縁体の電極に電気的に接続することで第１の電極と第２の電極との間に誘起電圧を発生させ、ここを通過する蛇に電撃を与えて、落下させるか登攀を断念させるようにしたので、安価な資材を用いた簡易な構造で蛇の立設体への登攀を防止することが可能となる。
また、立設体の下部に設けられた絶縁体に第１の電極と第２の電極を設けるだけの構造であるので、作業員の立設体への昇降や荷物の上げ下げに支障が殆どなく、また、装置自体が大型化することもないため、風の影響を殆ど受けることがない耐久性のある蛇登攀防止装置を提供することが可能となる。
【図面の簡単な説明】
【００１８】
【図１】図１は、本発明に係る蛇登攀防止装置を鉄塔に取り付けた状態を示す図であり、電磁誘導型の例を示す図である。
【図２】図２（ａ）は、本発明に係る蛇登攀防止装置の絶縁体が取り付けられた鉄塔の付近を示す拡大図、図２（ｂ）は、鉄塔に取り付けられる絶縁体や電極の取り付け状態を示す図である。
【図３】図３は、蛇登攀防止装置の誘起電圧を調整する方法を説明する図であり、鉄塔上部に巻設されるビニル絶縁電線の巻き数を異ならせた状態を示す図である。
【図４】図４は、蛇登攀防止装置の誘起電圧を調整する方法を説明する図であり、鉄塔上部に巻設されるビニル絶縁電線の位置を異ならせた状態を示す図である。
【図５】図５は、絶縁体の他の構成例を示す図であり、（ａ）は絶縁体を鉄塔のアングル鋼材に取り付けた状態を示す平面図、（ｂ）は、（ａ）を分解した状態を示す平面図、（ｃ）は絶縁体を鉄塔のアングル鋼材に取り付けた状態を示す側面図、（ｄ）は（ｃ）を分解した状態を示す側面図である。
【図６】図６は、本発明に係る蛇登攀防止装置を鉄塔に取り付けた状態を示す図であり、静電誘導型の例を示す図である。
【発明を実施するための形態】
【００１９】
以下、本発明の蛇登攀防止装置について添付図面を参照して説明する。
【００２０】
図１において、電磁誘導型の蛇登攀防止装置１が鉄塔２に取り付けられている例が示されている。この蛇登攀防止装置１は、鉄塔２の上部の架空送電線３が取り付けられている付近にビニル絶縁電線（ＩＶ線）４を鉄塔の周囲を回し付けるようにループ状に巻設して固定した電圧誘起箇所５を備え、この電圧誘起箇所５から主柱材２ａの内側を通して鉄塔下部までビニル絶縁電線４の両端を引き下ろし、鉄塔２の４本の主柱材（第１の主柱材２ａ，第２の主柱材２ｂ、第３の主柱材２ｃ、第４の主柱材２ｄ）の下部に取り付けられた絶縁体（第１の主柱材２ａに取り付けられた絶縁体を第１の絶縁体６ａ，第２の主柱材２ｂに取り付けられた絶縁体を第２の絶縁体６ｂ、第３の主柱材２ｃに取り付けられた絶縁体を第３の絶縁体６ｃ、第４の主柱材２ｄに取り付けられた絶縁体を第４の絶縁体６ｄとする）の電極に電気的に接続している。
【００２１】
それぞれの絶縁体６ａ，６ｂ，６ｃ，６ｄは、同様の構成であり、図２（ａ）に示す第１の絶縁体６ａについて説明すると、絶縁体６ａは、斜材２ｅ，２ｆが連結し、蛇が鉄塔２を登攀する際に必ず通過する主柱材２ａの部位に設けられている。この例においては、絶縁体６ａ，６ｂ，６ｃ，６ｄとして絶縁シート７が用いられ、この絶縁シート７を主柱材２ａに巻き付けて構成されている。この絶縁体６ａを構成する絶縁シート７は、主柱材２ａがアングル鋼材である場合には、内側の部分に隙間が形成されないように、図２（ｂ）に示されるように、絶縁シート７を巻き込むように取り付けられる。
【００２２】
そして、この絶縁体６ａの上からビニル絶縁電線４の被覆を剥ぎ取った部分（芯線４ａ）を巻き付け、さらにその上からステンレスバンド８で強く巻きつけて絶縁シート７をビニル絶縁電線４と共に主柱材２ａに固定すると共に、ステンレスバンド８によりビニル絶縁電線４が電気的に接続された電極を形成するようにしている。
【００２３】
この例においては、各絶縁体６ａ，６ｂ，６ｃ，６ｄの上端部に引き下ろされたビニル絶縁電線４の一方と電気的に接続される第１の電極（第１の絶縁体６ａに設けられる第１の電極を１１ａ，第２の絶縁体６ｂに設けられる第１の電極を１１ｂ、第３の絶縁体６ｃに設けられる第１の電極を１１ｃ，第４の絶縁体６ｄに設けられる第１の電極を１１ｄとする）が設けられ、各絶縁体６ａ，６ｂ，６ｃ，６ｄの下端部には引き下ろされたビニル絶縁電線４の他方と電気的に接続される第２の電極（第１の絶縁体６ａに設けられる第２の電極を１２ａ，第２の絶縁体６ｂに設けられる第２の電極を１２ｂ、第３の絶縁体６ｃに設けられる第２の電極を１２ｃ，第４の絶縁体６ｄに設けられる第２の電極を１２ｄとする）が設けられている。それぞれの絶縁体６ａ，６ｂ，６ｃ，６ｄの第１の電極１１ａ，１１ｂ，１１ｃ，１１ｄは引き下ろされたビニル絶縁電線４の一方に対して直列に接続され、また、それぞれの絶縁体６ａ，６ｂ，６ｃ，６ｄの第２の電極１２ａ，１２ｂ，１２ｃ，１２ｄは引き下ろされたビニル絶縁電線４の他方に対して直列に接続されている。
【００２４】
すなわち、引き下ろされたビニル絶縁電線４の一方は、第１の絶縁体６ａの第１の電極１１ａ→第２の絶縁体６ｂの第１の電極１１ｂ→第３の絶縁体６ｃの第１の電極１１ｃ→第４の絶縁体６ｄの第１の電極１１ｄの順で電気的に接続され、また、引き下ろされたビニル絶縁電線の他方は、第１の主柱材２ａに設けられた第１の断路スイッチ９ａ→第２の主柱材２ｂに設けられた第２の断路スイッチ９ｂ→第３の主柱材２ｃに設けられた第３の断路スイッチ９ｃ→第４の主柱材２ｄに設けられた第４の断路スイッチ９ｄ→第４の絶縁体６ｄの第２の電極１２ｄ→第３の絶縁体６ｃの第２の電極１２ｃ→第２の絶縁体６ｂの第２の電極１２ｂ→第１の絶縁体６ａの第２の電極１２ａの順で電気的に接続されている。
【００２５】
ここで、各断路スイッチ９ａ，９ｂ，９ｃ，９ｄは、絶縁体６ａ．６ｂ．６ｃ．６ｄより下方となる主柱材２ａ，２ｂ，２ｃ，２ｄに取り付けられているもので、ビニル絶縁電線４を一旦絶縁体よりも下方まで引き回し、そこに設けるようにしている。なお、断路スイッチ９ａ，９ｂ，９ｃ，９ｄと直列にヒューズを接続するようにしてもよい。
【００２６】
以上の構成において、断路スイッチ９ａ，９ｂ，９ｃ，９ｄが閉成（ＯＮ）されている場合には、架空送電線３の発生する磁界が鉄塔上部に巻設されたビニル絶縁電線４（電圧誘起箇所５）を鎖交することによりこの電圧誘起箇所５に電磁誘導が発生し、これと電気的に接続されている各絶縁体上の第１の電極１１ａ，１１ｂ，１１ｃ，１１ｄと第２の電極１２ａ，１２ｂ，１２ｃ，１２ｄとの間に誘起電圧が発生する。したがって、蛇が鉄塔２を登攀しようとして絶縁体上を移動し、第１の電極１１ａ，１１ｂ，１１ｃ，１１ｄと第２の電極１２ａ，１２ｂ，１２ｃ，１２ｄとに同時に接触すると、電極間に発生している誘起電圧により電撃を受け、蛇は落下するか登攀を断念することになる。
【００２７】
ここで、第１の電極１１ａ，１１ｂ，１１ｃ，１１ｄと第２の電極１２ａ，１２ｂ，１２ｃ，１２ｄとの間に発生する誘起電圧は、一般的な鳥獣害用電気柵の場合であれば数千Ｖであるが、本装置は蛇の登攀防止を予定しているため、数百Ｖを想定している。
【００２８】
なお、作業員の鉄塔への昇降時等においては、４箇所にある断路スイッチ９ａ，９ｂ，９ｃ，９ｄのいずれかを開成（ＯＦＦ）することで、全ての絶縁体上において誘起電圧がなくなるので、作業員は感電することなく安全に鉄塔２を昇降することが可能となる。
【００２９】
したがって、上述の構成によれば、ビニル絶縁電線４、絶縁シート７、ステンレスバンド８、断路スイッチの４つの資材を用いて蛇登攀防止装置１を構築できるので、安価で且つ簡易な構造で蛇の鉄塔への登攀を防止することが可能となる。
【００３０】
また、鉄塔２の下部に設けられた絶縁体６ａ，６ｂ，６ｃ，６ｄに第１の電極１１ａ，１１ｂ，１１ｃ，１１ｄと第２の電極１２ａ，１２ｂ，１２ｃ，１２ｄを設けるだけの構造であるので、作業員の鉄塔２への昇降や荷物の上げ下げに支障が殆どなく、また、装置自体が大型化することもないため、風の影響を殆ど受けることがない耐久性のある蛇登攀防止装置１を提供することが可能となる。
【００３１】
なお、上述の例では、安全を考慮してすべての主柱材２ａ，２ｂ，２ｃ，２ｄ（４箇所）に断路スイッチ９ａ，９ｂ，９ｃ，９ｄを設けるようにしているが、作業員の昇降箇所が１箇所とされている鉄塔であれば、断路スイッチはその一箇所のみに設けるようにしてもよい。
【００３２】
また、誘起電圧が不十分である場合には、図３に示されるように、電圧誘起箇所５でのビニル絶縁電線４の巻数を多くすればよく、また、誘起電圧が過剰である場合には、図４に示されるように、電圧誘起箇所５を架空送電線３から離れるように下方に下げればよく、ビニル絶縁電線４の巻数や架空送電線３との離隔距離を調整することにより所望の誘起電圧を得ることが可能となる。
【００３３】
また、上述の例では、絶縁体６ａ，６ｂ，６ｃ，６ｄとして絶縁シート７を用いた例を示したが、図５に示されるように、絶縁形成物を組み合わせて構成してもよい。ここで示される絶縁体６ａ，６ｂ，６ｃ，６ｄは、アングル鋼材からなる主柱材２ａ，２ｂ，２ｃ，２ｄの内側二面に当接する内側絶縁形成物１５と、主柱材２ａ，２ｂ，２ｃ，２ｄの外側二面に当接する外側絶縁形成物１６とを主柱材（アングル鋼材）を挟み込むように組み合わせ、全体として円筒形状に形成されるもので、上下端部にフランジ部１５ａ，１６ａ，１５ｂ，１６ｂを形成し、このフランジ部１５ａ，１６ａ，１５ｂ，１６ｂの外周に断面コ字上の導電体バンド１７ａ，１７ｂを回し付け、その両端部をネジでビニル絶縁電線４と共に締め付けて絶縁体６ａ，６ｂ，６ｃ，６ｄを主柱材２ａ，２ｂ，２ｃ，２ｄに固定すると共に上側の導電体バンド１７ａを第１の電極１１ａ，１１ｂ，１１ｃ，１１ｄとし、下側の導電体バンド１７ｂを第２の電極１２ａ，１２ｂ，１２ｃ，１２ｄとしている。なお、ここで、第１の電極（導電体バンド１７ａ）が取り付けられるフランジ部は、第２の電極（導電体バンド１７ｂ）が取り付けられるフランジ部よりも径が大きく形成されている。
【００３４】
また、内側絶縁形成物１５には、ビニル絶縁電線４を挿通させるための通孔１８が複数形成され、ビニル絶縁電線４を絶縁体６ａ，６ｂ，６ｃ，６ｄの外側に引き回さなくても済むようになっている。
【００３５】
さらに、絶縁体６ａ，６ｂ，６ｃ，６ｄの上部（内側絶縁形成物１５および外側絶縁形成物１６の上部）は外側に向かうにつれて下方に傾斜する形状に形成され、雨水などが溜まらないようになっている。
【００３６】
したがって、このような絶縁形成物を組み合わせて絶縁体６ａ，６ｂ，６ｃ，６ｄを構成するようにしたので、絶縁体６ａ，６ｂ，６ｃ，６ｄの鉄塔２への取り付けが容易となり、また、絶縁体６ａ，６ｂ，６ｃ，６ｄの取り付け状態が不均一になることがなくなる。また、上述の構成によれば、絶縁体６ａ，６ｂ，６ｃ，６ｄの上下に設けられたフランジ部１５ａ，１６ａ，１５ｂ，１６ｂに電極が取り付けられ、上側のフランジ部１５ａ，１６ａの径を下側のフランジ部１５ｂ，１６ｂの径よりも大きくすることで、電極間や電極と主柱材との離隔を大きくとり、塩害などの絶縁低下対策とすることが可能となる。
【００３７】
以上に述べた電磁誘導型の蛇登攀防止装置１は、電極間に発生する誘起電圧が架空送電線３の電流と平行長に比例する構成であり、電流の変動が多い箇所では安定した誘起電圧が得られないことも想定される。このため、そのような箇所では、図６に示されるような静電誘導型の蛇登攀防止装置１を採用するとよい。
【００３８】
この蛇登攀防止装置１は、鉄塔２の上部の架空送電線３が取り付けられている付近にビニル絶縁電線（ＩＶ線）４を鉄塔２の周囲を回し付けるようにループ状に巻設して固定した電圧誘起箇所５を備え、この巻設したビニル絶縁電線４と接続するビニル絶縁電線４０を電圧誘起箇所５から主柱材２ａの内側を通して鉄塔下部まで引き下ろし、鉄塔２の４本の主柱材２ａ，２ｂ，２ｃ，２ｄに下部に取り付けられた各絶縁体６ａ，６ｂ，６ｃ，６ｄの第１の電極１１ａ，１１ｂ，１１ｃ，１１ｄに直列に接続するようにしている。
【００３９】
この例においては、引き下ろされたビニル絶縁電線４０が、第１の主柱材２ａに設けられた第１の断路スイッチ９ａ→第２の主柱材２ｂに設けられた第２の断路スイッチ９ｂ→第３の主柱材２ｃに設けられた第３の断路スイッチ９ｃ→第４の主柱材２ｄに設けられた第４の断路スイッチ９ｄ→第４の絶縁体６ｄの第１の電極１１ｄ→第３の絶縁体６ｃの第１の電極１１ｃ→第２の絶縁体６ｂの第１の電極１１ｂ→第１の絶縁体６ａの第１の電極１１ａの順で電気的に接続されている。
【００４０】
また、接地線４１を各絶縁体６ａ，６ｂ，６ｃ，６ｄの第２の電極１２ａ，１２ｂ，１２ｃ，１２ｄに直列に接続している。この例では、接地線４１が第１の絶縁体６ａの第２の電極１２ａ→第２の絶縁体６ｂの第２の電極１２ｂ→第３の絶縁体６ｃの第２の電極１２ｃ→第４の絶縁体６ｄの第２の電極１２ｄの順で電気的に接続されている。
なお、他の構成は前記構成例と同様である。
【００４１】
このような構成においては、断路スイッチ９ａ，９ｂ，９ｃ，９ｄが閉成（ＯＮ）されている場合には、ビニル絶縁電線４をループ状に巻設した電圧誘起箇所５と架空送電線３との間の静電容量、電圧誘起箇所５と大地間との間の静電容量のために第１の電極１１ａ，１１ｂ，１１ｃ，１１ｄと第２の電極１２ａ，１２ｂ，１２ｃ，１２ｄとの間に電位差が発生することになる。このため、蛇が鉄塔を登攀しようとして絶縁体上を移動し、第１の電極１１ａ，１１ｂ，１１ｃ，１１ｄと第２の電極１２ａ，１２ｂ，１２ｃ，１２ｄとに同時に接触すると、電極間に発生している誘起電圧により電撃を受け、蛇は落下するか登攀を断念することになる。
【００４２】
このような静電誘導型の蛇登攀防止装置１によれば、誘起電圧が架空送電線３の電圧や架空送電線３とビニル絶縁電線４と相互インダクタンスに比例する構成であり、電流変動の多い箇所でも安定した誘起電圧を得るために有効である。
【００４３】
なお、以上の構成においては、鉄塔２に蛇登攀防止装置１を設置した例を示したが、架空送電線３を支持する立設体であれば同様の構成を採用することが可能である。例えば、中空鋼管やコンクリート柱などでも絶縁シート７を巻き付けることができれば、同様の構成を採用することが可能である。
また、上述の例では、鉄塔２の主柱材に電極を設けた電圧発生箇所を１箇所ずつ設けた例を示したが、主柱材に設けられる電圧発生箇所は複数個所でもよく、また、斜材等の他の部位に設置するようにしてもよい。
【符号の説明】
【００４４】
１  蛇登攀防止装置
２  鉄塔
２ａ，２ｂ，２ｃ，２ｄ  主柱材
３  架空送電線
４，４０  ビニル絶縁電線
６ａ，６ｂ，６ｃ，６ｄ  絶縁体
９ａ，９ｂ，９ｃ、９ｄ  断路スイッチ
１１ａ，１１ｂ，１１ｃ，１１ｄ  第１の電極
１２ａ，１２ｂ，１２ｃ，１２ｄ  第２の電極
１５  内側絶縁形成物
１６  外側絶縁形成物
４１  接地線
【図１】
2016119810.tif 000003
【図２】
2016119810.tif 000004
【図３】
2016119810.tif 000005
【図４】
2016119810.tif 000006
【図５】
2016119810.tif 000007
【図６】
2016119810.tif 000008